【手続補正書】
【提出日】平成19年6月11日(2007.6.11)
【手続補正１】
【補正対象書類名】明細書
【補正対象項目名】発明の名称
【補正方法】変更
【補正の内容】
【発明の名称】製造工程内情報収集装置および製造工程内情報収集方法
【手続補正２】
【補正対象書類名】明細書
【補正対象項目名】特許請求の範囲
【補正方法】変更
【補正の内容】
【特許請求の範囲】  
【請求項１】  装置から各種情報を収集し、収集された情報の保管や管理を行う製造工程内情報収集装置において、
装置から、情報が入力される入力手段と、
入力手段に入力される情報を、登録して蓄積する蓄積手段と、
前記蓄積手段に蓄積される情報が通信ネットワークを介して転送され、情報の保管や管理を行うサーバ手段と、
蓄積手段からサーバ手段に転送する情報を、移し替えのために一旦複写する移し替え手段と、
蓄積手段からサーバ手段に転送する情報を移し替え手段に一旦複写し、さらに移し替え手段に複写された情報をサーバ手段に転送する制御を行い、該情報が完全にサーバ手段に転送されたことを確認してから、蓄積手段に蓄積されている該情報を削除するように制御する制御手段とを含むことを特徴とする製造工程内情報収集装置。
【請求項２】  前記制御手段は、蓄積手段に蓄積されている該情報について削除可能の属性を設定する制御を行い、蓄積手段に蓄積されている情報のうち、削除可能の属性が設定されている情報を、予め設定される条件に従って削除するように制御することを特徴とする請求項１記載の製造工程内情報収集装置。
【請求項３】  装置から各種情報を収集し、収集された情報の保管や管理を行う製造工程内情報収集方法において、
装置から入力される情報を、登録して蓄積する蓄積工程と、
通信ネットワークを介して転送される情報の保管や管理を行うサーバ手段に、前記蓄積工程によって蓄積される情報を通信ネットワークを介して転送する転送工程と、
蓄積工程によって蓄積され、サーバ手段に転送する情報を、移し替えのために一旦複写する移し替え工程と、
蓄積工程によって蓄積され、サーバ手段に転送する情報が完全にサーバ手段に転送されたことを確認してから、蓄積工程によって蓄積されている該情報を削除する削除工程とを含むことを特徴とする製造工程内情報収集方法。
【手続補正３】
【補正対象書類名】明細書
【補正対象項目名】０００１
【補正方法】変更
【補正の内容】
【０００１】
【発明の属する技術分野】
本発明は、製造工程内で生産情報、製造履歴情報、検査情報など様々な情報を収集し、保管して管理する製造工程内情報収集装置および製造工程内情報収集方法に関する。
【手続補正４】
【補正対象書類名】明細書
【補正対象項目名】０００８
【補正方法】変更
【補正の内容】
【０００８】
本発明の目的は、生産装置から入力される各種情報を確実に蓄積して管理することができる製造工程内情報収集装置および製造工程内情報収集方法を提供することである。
【手続補正５】
【補正対象書類名】明細書
【補正対象項目名】０００９
【補正方法】変更
【補正の内容】
【０００９】
【課題を解決するための手段】
本発明は、装置から各種情報を収集し、収集された情報の保管や管理を行う製造工程内情報収集装置において、
装置から、情報が入力される入力手段と、
入力手段に入力される情報を、登録して蓄積する蓄積手段と、
前記蓄積手段に蓄積される情報が通信ネットワークを介して転送され、情報の保管や管理を行うサーバ手段と、
蓄積手段からサーバ手段に転送する情報を、移し替えのために一旦複写する移し替え手段と、
蓄積手段からサーバ手段に転送する情報を移し替え手段に一旦複写し、さらに移し替え手段に複写された情報をサーバ手段に転送する制御を行い、該情報が完全にサーバ手段に転送されたことを確認してから、蓄積手段に蓄積されている該情報を削除するように制御する制御手段とを含むことを特徴とする製造工程内情報収集装置である。
【手続補正６】
【補正対象書類名】明細書
【補正対象項目名】００１０
【補正方法】変更
【補正の内容】
【００１０】
本発明に従えば、製造工程内情報収集装置は、装置から各種情報を収集し、収集された情報の保管や管理を行い、入力手段、蓄積手段および制御手段を含む。入力手段は、装置から、情報が入力される。蓄積手段は、入力手段に入力される情報を、登録して蓄積する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
蓄積手段に蓄積されている情報を通信ネットワークを介してサーバ手段に転送する際には、情報を一旦移し替え手段に複写し、移し替え手段に複写した情報が通信ネットワークを介してサーバ手段に転送されたことを確認してから、蓄積手段に蓄積されている該情報を削除するように制御するので、サーバ手段に情報が転送されていることが確認されるまでは情報は蓄積手段に登録されており、移し替え手段やサーバ手段あるいは通信ネットワークに支障が生じて情報が失われるようなことがあっても、蓄積手段内で情報を蓄積しておき、サーバ手段に転送されたことを確認してから削除するので、情報の消失の可能性をなくして、情報の管理を確実に行うことができる。
【手続補正９】
【補正対象書類名】明細書
【補正対象項目名】００１３
【補正方法】変更
【補正の内容】
【００１３】
また本発明で前記制御手段は、蓄積手段に蓄積されている該情報について削除可能の属性を設定する制御を行い、蓄積手段に蓄積されている情報のうち、削除可能の属性が設定されている情報を、予め設定される条件に従って削除するように制御することを特徴とする。
【手続補正１０】
【補正対象書類名】明細書
【補正対象項目名】００１４
【補正方法】変更
【補正の内容】
【００１４】
本発明に従えば、蓄積手段に蓄積されている情報を移し替え手段に一旦複写して通信ネットワークを介してサーバ手段に転送した後、サーバ手段に情報が転送されていることを確認した後でも蓄積手段の情報はすぐには削除しないで削除可能であることを示す属性を設定する設定するだけであるので、可能な限り情報を蓄積手段に保持し、情報の消失が起こりにくくすることができる。
また本発明は、装置から各種情報を収集し、収集された情報の保管や管理を行う製造工程内情報収集方法において、
装置から入力される情報を、登録して蓄積する蓄積工程と、
通信ネットワークを介して転送される情報の保管や管理を行うサーバ手段に、前記蓄積工程によって蓄積される情報を通信ネットワークを介して転送する転送工程と、
蓄積工程によって蓄積され、サーバ手段に転送する情報を、移し替えのために一旦複写する移し替え工程と、
蓄積工程によって蓄積され、サーバ手段に転送する情報が完全にサーバ手段に転送されたことを確認してから、蓄積工程によって蓄積されている該情報を削除する削除工程とを含むことを特徴とする製造工程内情報収集方法である。
本発明に従えば、蓄積工程によって蓄積されている情報を通信ネットワークを介してサーバ手段に転送する際には、情報を一旦移し替え工程によって複写し、複写した情報が通信ネットワークを介してサーバ手段に転送されたことを確認してから、蓄積工程によって蓄積されている該情報を削除するので、サーバ手段に情報が転送されていることが確認されるまでは情報は蓄積されており、サーバ手段あるいは通信ネットワークに支障が生じて情報が失われるようなことがあっても、情報を蓄積しておき、サーバ手段に転送されたことを確認してから削除するので、情報の消失の可能性をなくして、情報の管理を確実に行うことができる。
【手続補正１１】
【補正対象書類名】明細書
【補正対象項目名】００２６
【補正方法】変更
【補正の内容】
【００２６】
ステップｄ５またはステップｄ７の処理が終了すると、ステップｄ８でデータ管理装置２０としての処理が終了しているか否かを判断する。終了していないと判断されるときには、ステップｄ２に戻る。ステップｄ８で処理が終了していると判断されるときには、ステップｄ９に処理手順を終了する。
以上のように本実施の形態によれば、生産装置から入力手段への情報の入力が行われると、情報が蓄積手段に登録されて蓄積された後で確認の通知が入力手段から生産装置に通知されるので、生産装置と入力手段との間は情報の流れが双方向となり、蓄積手段への情報の登録が確実に行われていることを生産装置に知らせることができる。生産装置では、入力手段に入力する情報が確実に蓄積手段に登録されているか否かを知ることができるので、蓄積手段に不具合などが生じて情報の蓄積ができなくなっても、情報そのものの欠落を防ぐことができる。
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】変更
【補正の内容】
【００２８】
【発明の効果】
本発明によれば、蓄積手段に蓄積されている情報が通信ネットワークを介してサーバ手段に転送されたことが確認されてから削除されるので、移し替え手段、通信ネットワークあるいはサーバ手段の不具合で情報が消失されてしまうのを防ぐことができる。